(57)【特許請求の範囲】
【請求項１】
遊技球を貯留する貯留手段と、パチンコ機を制御する制御基盤と、当該制御基盤を収容する箱状の基盤ケースとを背部に備えるパチンコ機であって、
前記貯留手段は、払い出し装置に遊技球を供給するための傾斜状の底部を備え、当該底部には塵埃を排出させるための貫通状の排出孔が設けられ、
前記貯留手段の直下に配置される前記基盤ケースの上面壁は、前記貯留手段の底部の傾斜に沿って設けられると共に、前記上面壁の最も高い位置近傍に放熱用の放熱孔を備え、
前記放熱孔から鉛直線上方に向かって臨む貯留手段の底部には前記排出孔が配置されないことを特徴とするパチンコ機。
【発明の詳細な説明】
【技術分野】
【０００１】
本発明はパチンコ機に関し、特に、熱が発生する制御基盤を備えるパチンコ機に関する。
【背景技術】
【０００２】
現在のパチンコ機は、興趣性向上のために、リーチアクション画像など種々の画像が表示される液晶の表示パネルが取り付けられている。そして、この表示パネルに表示される画像を制御するために、表示サブ基盤と称される制御基盤をパチンコ機の背部に備えている。昨今のパチンコ機において当該表示サブ基盤は、表示画像の複雑化、多様化に対応するため、高速で処理を行うことのできるＣＰＵが搭載されることが多く、当該表示サブ基盤からの発熱量も従前の表示サブ基盤に比べ多くなってきている。
【０００３】
また、パチンコ機には表示パネル以外にも装飾性や興趣性向上のためにＬＥＤや電球などからなる電飾や、効果音などを発するスピーカーなどが取り付けられ、これらを制御するための制御基盤も背部に備えられている。さらに、大当たりの判定や、賞球の払出などを制御する主基盤や払出基盤と称される制御基盤も備えられている。
【０００４】
以上のように、パチンコ機の各機能は、モジュール化された複数の制御基盤により独立して制御されており、これら各制御基盤から熱が放出されるため、パチンコ機背部の熱の対策が問題となっている。
【０００５】
また、改竄防止の観点から外部からピンセットや電極となるハリが制御基盤に触れることができないように、前記各制御基盤は、それぞれケース内に収容された状態でパチンコ機の背部に備えられている。従って、前記ケースには吸気口及び放熱口として貫通状の孔が設けられているのが通常である（例えば、特許文献１参照）。
【０００６】
昨今のパチンコ機においては、さらに興趣性を向上させるため、電飾による表示は派手になり、表示パネルは大型化すると共に表示される画像も複雑多様化がなされるに至り、制御基盤から発生する熱量が多くなってきている。そこで、前記制御基盤を覆うケースに設けられる放熱用の孔の数が増加する傾向にある。
【特許文献１】特開２００１−３１００３７号公報
【特許文献２】特開２０００−１４０３８１号公報
【発明の開示】
【発明が解決しようとする課題】
【０００７】
ところが、単に制御基盤を収容しているケースに放熱用の孔を単に設けただけでは、制御基盤の低温下には寄与するものの、次のような問題が生じてきた。
【０００８】
すなわち、パチンコ機背部には、前記制御基盤の他、遊技球を貯留するための球タンクやタンクレールが配設されている。これら、球タンクやタンクレールは、前記制御基盤の上方に設けられると共に、遊技球を所定数払い出すための払出装置に連接され、入賞口に遊技球が入ったタイミングなどに基づき、払出が行えるように遊技球を待機させておく場所である（例えば、特許文献２参照）。
【０００９】
昨今のパチンコ機において、制御基盤などから放出される熱により前記貯留されている遊技球か熱くなり、機外に排出された遊技球を遊技者が触れた際に熱くて不快に感じるという問題が発生している。
【課題を解決するための手段】
【００１０】
上記問題に鑑み、本願発明者らは、鋭意研究と努力の結果、遊技球の温度が過度に上昇するのは、球タンクやタンクレールの下方に配置される制御基盤が放出した熱がタンクレールに設けられている塵埃排除用の貫通孔を通過して直接遊技球を暖めることに起因することを見いだし、さらに、制御基盤を収容するケースの形状により熱の放出部位を制御して前記問題を解決できることに想到し、本発明を完成した。
【００１１】
すなわち、本発明は、貯留されている遊技球の温度上昇を可及的に抑制することを目的としている。
【００１２】
上記目的を達成するために、本発明に係るパチンコ機は、遊技球を貯留する貯留手段と、パチンコ機を制御する制御基盤と、当該制御基盤を収容する箱状の基盤ケースとを背部に備えるパチンコ機であって、前記貯留手段は、払い出し装置に遊技球を供給するための傾斜状の底部を備え、当該底部には塵埃を排出させるための貫通状の排出孔が設けられ、前記貯留手段の直下に配置される前記基盤ケースの上面壁は、前記貯留手段の底部の傾斜に沿って設けられると共に、前記上面壁の最も高い位置近傍に放熱用の放熱孔を備え、前記放熱孔から鉛直線上方に向かって臨む貯留手段の底部には前記排出孔が配置されないことを特徴としている。
【００１３】
これにより、制御基盤で発生する熱は、前記基盤ケースの上面壁に沿って基盤ケース内部を上昇し、所定の位置に設けられた放熱孔からケース外部に放熱される。一方、前記上面壁の直上にある貯留手段の前記放熱孔に対向する部分には排出孔が配置されていないため、前記熱が貯留状態の遊技球に直接到達することはない。
【００１４】
従って、遊技球が長時間貯留状態にあったとしても、遊技球の温度が高くならないため、排出直後の遊技球を遊技者が触れたとしても、遊技球に伝達される熱量が減少するため、遊技者に与える不快感を低減することができる。つまり、遊技者に与える不快感を低減することができるパチンコ機を提供するものである。
【００１５】
さらに、貯留手段の排出孔に対向する基盤ケースの部分には、放熱孔が配置されないため、排出孔から落下する塵埃が基盤ケース内に侵入することを回避することができ、制御基盤の誤動作を回避することが可能となる。
【発明を実施するための最良の形態】
【００１６】
以下、本発明に係る実施の形態を図面に沿って説明する。
【００１７】
（実施の形態１）
図１は、本実施形態に係るパチンコ機１００の正面方向から示す斜視図である。
【００１８】
同図に示されるように、パチンコ機１００は、外枠１１１と、前枠１１２と、窓枠１１３とを備えている。
【００１９】
外枠１１１は、パチンコ機１００の各構成要素を保持するための基礎となる部材であり、矩形状の枠体となっている。また、外枠１１１がパチンコホールに設置されている台島に直接固定されてパチンコ機１００が台島に設置される。
【００２０】
前枠１１２は、遊技中の遊技球１３０が落下する遊技盤（図示せず）や、遊技球を貯留するための球タンク１１５、各種基盤（後述）などが取り付けられる部材である。また、前枠１１２は、外枠１１１の前端面左側とヒンジを介して取り付けられており、外枠１１１に対して前枠１１２が回動可能となされている。すなわち、台島に設置されたパチンコ機１００の前枠１１２を回動すると、パチンコ機１００の背部に備えられている球タンク１１５やケースに収容された状態の各種遊技盤を見ることが可能となる。
【００２１】
また、前枠１１２の前面下部には上皿１１４が設けられている。この上皿１１４は、パチンコ機１００の背部上側にある球タンク１１５及びタンクレールに貯留されている遊技球１３０が払出装置により払い出される際に、当該払い出された遊技球１３０を保持するための部材である。
【００２２】
当該上皿１１４に保持されている遊技球１３０は、遊技者が任意に触れて取り扱うことができる遊技球１３０となる。
【００２３】
窓枠１１３は前枠１１２の前面にヒンジを介して装着される部材である。この窓枠１１３は円形孔状の窓部を有し、当該窓部の内周面には透明なガラス板が設けられている。前記窓部のガラス板は、遊技中の遊技球１３０が転落する遊技盤の前面に配置されており、前記遊技球１３０を遊技者が視認できると共に、遊技球が遊技盤から飛び出ることを防止している。
【００２４】
図２は、パチンコ機１００の背面を示す斜視図である。
【００２５】
同図に示すように、パチンコ機１００の背部上側には、球タンク１１５と、タンクレール１１６が取り付けられている。本実施形態の場合、前記球タンク１１５とタンクレール１１６とが貯留手段として機能している。
【００２６】
また、タンクレール１１６の下方には、表示サブ基盤が収容されている基盤ケース１４１が取り付けられている。
【００２７】
そして、表示サブ基盤１２１用の基盤ケース１４１の下方には、各種遊技音の出力制御を行なう音サブ基盤１２２、入賞時におけるパチンコ機１００の動作等を含むパチンコ機１００の主要な動作を制御する主基盤１２３、遊技球１３０の払い出し動作を制御する払出基盤１２４、および各基盤等に電源を供給する電源基盤１２５等の各種基盤が取り付けられている。
【００２８】
なお、音サブ基盤１２２、主基盤１２３、払出基盤１２４、電源基盤１２５については、同図中、前記各基盤を収容している基盤ケースに符号が附されているが、当該符号は、基盤ケースに収容される各基盤（図示せず）を示すものとする。
【００２９】
球タンク１１５は、台島の上部で流通している遊技球１３０を受け取って貯留しておく箱状の部材であり、上部は開放状態となされている。また、球タンク１１５の下部はタンクレール１１６と導通する導通孔が設けられており、球タンク１１５で受け取られた遊技球１３０は、前記導通孔を通過して整流状態でタンクレール１１６に供給される。
【００３０】
タンクレール１１６は、球タンク１１５に乱雑に貯留されている遊技球１３０を整流状態で受け取り、払出装置まで遊技球１３０を誘導するための部材である。また、遊技球１３０を払出装置まで誘導するために、球タンク１１５から遊技球１３０を受け取る前記導通孔から払出装置に向けて遊技球１３０が流れ落ちるようになだらかな傾斜の底部１１８（図３参照）がタンクレール１１６に設けられている。
【００３１】
なお、タンクレール１１６は、何らかのタイミングで払出装置により遊技球１３０が上皿１１４に払い出されるまでは、遊技球１３０を貯留する貯留手段として機能する。
【００３２】
図３は、パチンコ機１００を背部から示す平面図である。
【００３３】
同図は、タンクレール１１６の一部を切欠き、タンクレール１１６の底部１１８の断面を示している。
【００３４】
同図に示すように、タンクレール１１６の底部１１８には、貫通状の排出孔１１７が複数箇所設けられている。この排出孔１１７は、タンクレール１１６内に侵入してきた塵埃をタンクレール１１６から排出するために設けられており、排出孔１１７から塵埃が外部に向かって落下し、タンクレール１１６から排出されることにより、遊技球１３０が塵埃に引っかかって滞ること無く、スムーズな転がりを維持することができるようになっている。
【００３５】
また、本実施形態の場合、排出孔１１７は、後述の基盤ケース１４１に設けられている放熱孔１４６の直上、すなわち放熱孔１４６から鉛直線上方に向かって臨む範囲には配置されていない。
【００３６】
次に、基盤ケース１４１について詳細に説明する。
【００３７】
図４は、表示サブ基盤用の基盤ケース１４１を示す斜視図である。
【００３８】
同図に示すように、基盤ケース１４１は、表示サブ基盤１２１を内部に収容すると共に、表示用の液晶ユニット１５２も収容するケースであり、液晶ユニット１５２を収容するケース本体１５１と、表示サブ基盤１２１を収容する突出部１４２との２室構造となっている。そして、当該突出部１４２は、ケース本体１５１から一体に立設される上面壁１４３と側壁１４４と下面壁１４５とを備えている。
【００３９】
上面壁１４３は、基盤ケース１４１をパチンコ機１００の背面に取り付けた場合、タンクレール１１６の底面に沿うように基盤ケース１４１本体に立設されている。また、当該傾斜を備えた上面壁１４３の最も高い位置近傍にのみ、表示サブ基盤１２１で発生する熱を放出するための放熱孔１４６が設けられている。なお、突出部１４２には、他の放熱孔１４７も各壁１４４、１４５に設けられており、これらの放熱孔１４６、１４７は外部の空気を導入する導入口としても機能している。
【００４０】
また、基盤ケース１４１の固定方法としては、図４に示されるように、基盤ケース１４１の上下に突出状態で複数箇所設けられるねじ孔１５３にねじ（図示せず）を挿通し、当該ねじを遊技盤に螺着することにより、パチンコ機１００の背部にねじ止めで基盤ケース１４１が固定される。
【００４１】
なお、基盤ケース１４１に収容される表示サブ基盤１２１は、パチンコ機１００の前面から窓枠１１３を通して視認することのできる液晶ディスプレイに表示されるリーチアクションなどの各種表示の制御を行なう基盤であり、キャラクターやその動きが記録されたＲＯＭやこれらを表示させるためのＣＰＵなどが取り付けられている。
【００４２】
上記基盤ケース１４１の構成により、表示サブ基盤１２１で発生した熱は、上面壁１４３の傾斜に沿って基盤ケース１４１の内側を移動し、当該傾斜の最も高い部分近傍に設けられた放熱孔１４６から基板用ケース１４１外部に排出される。
【００４３】
また、上記タンクレール１１６と基盤ケース１４１との構成により、前記基盤ケース１４１の放熱孔１４６から排出された熱は、上昇してタンクレール１１６の下面に到達するが、放熱孔１４６に対向する部分には排出孔１１７が配置されていないため、排出された熱が直接貯留状態の遊技球１３０に到達することはない。従って、上皿１１４に払い出された遊技球１３０を遊技者がさわったとしても、遊技球１３０に伝達される熱量が減少するため、遊技者に与える不快感を低減することができる。
【００４４】
さらに、上記構成により、排出孔１１７から落下した塵埃が表示サブ基盤１２１に到達することを可及的に防止することができる。つまり、排出孔１１７から塵埃が落下してもその直下の基盤ケース１４１の上面壁１４３には放熱孔１１７が配置されていないため、基盤ケース１４１内部に塵埃が侵入することを抑止することができ、表示サブ基盤１２１の誤動作を可及的に回避することが可能となる。
【００４５】
なお、本実施形態では、タンクレール１１６の直下にある基盤を表示サブ基盤１２１、及び、それを収容するケース１４１として説明したが、本発明はこれに限定されるわけではなく、タンクレール１１６直下に他の基盤及びその基盤ケースが配置されていても、同様の作用、効果を奏することができる。
【００４６】
また、本実施形態では、球タンク１１５の下方にタンクレール１１６が配置されるものとしたが、貯留手段としては当該態様に限定されるわけではなく、球タンク１１５とタンクレール１１６が左右に配置されていてもかまわない。また、球タンク１１５の大きさとタンクレール１１６の長さとの関係も任意でかまわない。
【００４７】
（実施の形態２）
次に、他の実施形態を説明する。
【００４８】
本実施形態は、前記放熱孔１１７から鉛直上方に向かって臨む場合に直接貯留状態の遊技球１３０を臨むことを阻止する障壁１５０を設けた実施形態である。
【００４９】
本実施形態２の構成は、ほぼ前記実施形態１と同様であるため、同じ機能を備える構成については同じ符号を附し、前記実施形態１と異なる部分のみここで説明する。
【００５０】
タンクレール１１６の底部１１８には排出孔１１７が設けられているが、本実施形態２の場合は、タンクレール１１６の底部前面にわたって、排出孔１１７が配置されている。
【００５１】
基盤ケース１４１の上面壁１４３に設けられている排出孔１１７の上方には、上面壁１４３と所定の距離を隔てて平行に障壁１５０が一体に立設されている。当該障壁１５０は、上面壁１４３に設けられる放熱孔１４６の全体を覆い、上方に配置される排出孔１１７まで覆うように、基盤ケース１４１よりも突出状態で取り付けられている。
【００５２】
上記構成により上面壁１４３の放熱孔１４６から排出される表示サブ基盤１２１からの熱は、前記障壁１５０に沿って上昇する。従って、放熱孔１４６の直上に排出孔１１７が存在していたとしても放熱孔１４６からの熱が排出孔１１７を介して遊技球１３０を直接加熱することはなく、上記実施形態１と同様の作用効果を奏することができる。
【００５３】
さらに、特殊な構造のタンクレール１１６とすることなく、上記作用効果を得ることができるため、汎用性が高い。
【００５４】
なお、前記障壁１５０は、基盤ケース１４１と一体とする必要はなく、別途接着剤などで取り付けるものでもかまわない。さらに、基盤ケース１４１に取り付けるばかりでなく、タンクレール１１６に取り付けてもかまわない。また、パチンコ機１００の他の部分に取り付けるものでもかまわない。
【００５５】
さらに、障壁１５０の素材は、樹脂、木、金属など任意の素材を選択しうる。ただし、熱伝導性が低い素材が望ましい。熱伝導性の高い障壁１５０の場合、障壁１５０自体からの放熱により遊技球１３０が加熱される可能性があるからである。
【００５６】
また、障壁１５０の形状も板状ばかりでなく放熱孔１４６を備える上面壁１４３と障壁１５０とで筒状（煙突状）としてもかまわない。
【産業上の利用可能性】
【００５７】
本発明は、パチンコ機に利用でき、特に、発熱量が大きい制御基盤を備えるパチンコ機に利用できる。
【図面の簡単な説明】
【００５８】
【図１】本実施形態に係るパチンコ機を正面から示す斜視図。
【図２】パチンコ機を背面から示す斜視図。
【図３】パチンコ機を背面から示す平面図。
【図４】表示サブ基盤用の基盤ケースを示す斜視図。
【図５】他の実施形態に係る基盤ケースを示す斜視図。
【図６】同パチンコ機の背面を示す平面図。
【符号の説明】
【００５９】
１００…パチンコ機、１１５…球タンク、１１６…タンクレール、１１７…排出孔、１３０…遊技球、１４１…基盤ケース、１４３…上面壁、１４６…放熱孔
【図１】
0004788472.tif 000002
【図２】
0004788472.tif 000003
【図３】
0004788472.tif 000004
【図４】
0004788472.tif 000005
【図５】
0004788472.tif 000006
【図６】
0004788472.tif 000007